(57)【特許請求の範囲】
【請求項１】
看板の開口部と、前記看板の開口部の周囲の縁部と、前記看板の開口部の平面と、前記縁部に関連する前記看板の開口部の外側及び内側領域を画定する複数の側方フレーム部材を備え；前記側方フレーム部材の各々が、前記看板の開口部の周囲に沿って取り付けられたフェース材料保持手段と、前記看板の開口部の内側領域において前記フェース材料保持手段に隣接配置された矩形スロットを有し、前記矩形スロットが横断面部分と縦断面部分を有し、前記矩形スロットが前記看板の開口部の平面と角度を成し；
前記側方フレーム部材を前記看板の開口部の周囲で互いに固定し、前記側方フレーム部材に接続した複数の構成フレーム部材を備え；
前記フェース保持手段に固定され且つ、前記看板の開口部にわたって伸びる可撓フェース材料を備え；前記可撓フェース材料がディスプレイ側と裏側を有し；
前記矩形スロットに取り外しできるように固定された固定端部と、前記看板の開口部の周囲の前記縁部から距離を置いて前記弾性フェース材料の前記裏側に対して伸びる自由端部とを各々有し、間隔をあけて配置された複数の可撓性及び弾性の支柱部材を備え；前記自由端部が撓める状態で、前記看板の開口部の前記平面から前記可撓フェース材料を弾性的に上げるため前記裏側に対して作用し；
前記可撓フェース材料は看板がどのような状況下でも伸張状態に保つことが可能で、前記支柱部材と前記可撓フェース材料を前記側方フレーム部材から取り外しできること、
を特徴とする可撓フェース看板。
【請求項２】
前記看板の開口部が、前方ディスプレイ部分と、実質的に前記前方ディスプレイ部分と角度を成して伸びるダウンライト部分を備えることを特徴とする請求項１に記載の可撓フェース看板。
【請求項３】
前記支柱部材の各々が、前記構成フレーム部材に固定されたフラットバーを備え；前記フラットバーが前記看板の開口部の前記平面を介して延びることを特徴とする請求項１に記載の可撓フェース看板。
【請求項４】
前記構成フレーム部材が、直線管状部材と、前記管状部材に組み合わさる心棒を有したＬ形部材から成るＣ形フレーム部材であることを特徴とする請求項１に記載の可撓フェース看板。
【請求項５】
前記フェース材料保持手段が、矩形スロット（24）、共通壁（52）、鋸歯状スロット（50）を備えることを特徴とする請求項１に記載の可撓フェース看板。
【請求項６】
前記共通壁が、前記看板の開口部の周囲で前記縁部を画定することを特徴とする請求項５に記載の可撓フェース看板。
【請求項７】
前記プロップ部材の各々が、可撓性且つ弾性の材料から成るストリップであることを特徴とする請求項１に記載の可撓フェース看板。
【請求項８】
前記の各ストリップが、2インチと4インチの間の幅と、3/16インチと1/4インチの間の厚さを有することを特徴とする請求項７に記載の可撓フェース看板。
【請求項９】
前記ストリップが、12インチと24インチの間の間隔をあけて配置されることを特徴とする請求項７に記載の可撓みフェース看板。
【請求項１０】
前記ストリップが、半透明プラスティック材料から作られることを特徴とする請求項７に記載の可撓フェース看板。
【請求項１１】
前記ストリップの各々が、それに固定された着色フィルムを有することを特徴とする請求項１０に記載の可撓フェース看板。
【請求項１２】
前記側方フレーム部材の各々が、成形部材であることを特徴とする請求項１に記載の可撓フェース看板。
【発明の詳細な説明】
【０００１】
【発明が属する技術分野】
本発明は、可撓フェース看板及び、特に突出ディスプレイ表面を有する可撓フェース看板に関するものである。
【０００２】
【従来の技術】
従来の可撓フェース看板は、看板のフレーム部材によって画定される開口部を横切るように伸ばされる可撓フェース材料と平面ディスプレイ表面とを有する。可撓フェース材料は、その周辺に間隔を空けて取り付けられている複数の可撓ホルダによって伸張されている。これらの看板は、本発明の発明者により、1993年10月26日及び1997年9月23日に許可された米国特許第5,255,459号と米国特許第5,669,166号の各々に詳しく記載されている。
【０００３】
従来の可撓フェース看板は、基本的に建物のあるいはサービスステーションのキャノピーの周りに前面看板として使用される。看板上の可撓フェース材料は、通常は付着デカルコマニー、ストライプまたはレタリング材料によって、着色または装飾されている。
【０００４】
可撓フェース看板には突出表面がまれに使用されており、それには従来技術に幾つかの関連構造があって、それを発展させて使用していたが、結果はまちまちであった。
【０００５】
突出ディスプレイ表面を有する可撓フェース看板の第一例は、1980年1月29日に登録されたCharles H. Tracyによる米国特許第4,185,408号に図示されている。この明細書ではバックライト付の看板ボードが述べられており、そこでは看板面が、透明凸形パネルを覆うように伸張されている。透明凸形パネルは、看板構造と結合された枠組システムによって、看板に取り付けられている。透明凸形パネルの曲がりは、特に子の看板が非常に大きなディスプレイ面を有する時に、看板のディスプレイ領域の装飾に有利である。
【０００６】
突出ディスプレイ表面を有する可撓フェース看板の別の例は、1981年5月5日に登録されたJackson R. Brooksによる米国特許第4,265,039号に説明されている。図示された実施例の一つでは、可撓看板フェースが、成形された器のよう（‘molded pan look’）である。突出形状は、看板の開口部の平面の外側で、可撓フェース材料の下に看板フレームの外周から延びる連続して曲げられる金属性ストリップによって、可撓フェース材料を支持することで作られている。
【０００７】
突出ディスプレイ表面を有する可撓フェース看板の更に別の例は、1991年9月3日に登録されたW. Dennis Finch等による米国特許第5,044,102号に示されている。この図面では、可撓フェース材料が、看板の開口部を横切るように取り付けられた格子のような管状構造部を覆うように、ピンと張られて据え付けられている。この据え付けの際、複数のバネを使用して、フェース材料の縁部に沿ってへりに装着されたロッドを引いて、環状構造部を覆うように看板フェースを伸ばしている。
【０００８】
勿論、突出ディスプレイ表面は、また天幕組立体に設けられており、装飾された製作材料が、突出管状フレームを覆うように伸ばされている。広告ディスプレイ看板として使用される天幕の例は、以下の米国特許明細書に図示され且つ説明されている。
【０００９】
米国特許第4,817,655号、1989年4月4日登録、Jackson R. Brooks
米国特許第4,692,847号、1987年9月8日登録、James Gandy
米国特許第5,577,830号、1996年11月26日登録、Martin Berry
【００１０】
広告産業では、周期的に看板を替えて、新しいビジネスイメージ、すなわち新しい方向性の製品をディスプレイするかまたは、ディスプレイされたメッセージを簡単に一新させることが、重要であると考えられている。従って、看板のディスプレイ表面は、看板の基礎構造部を変えなければならないことを除いて、容易に交換されるべきであると思われる。また看板の外観は、平面から突出した形態あるいは凹凸形へ、全体の看板構造部を取り換える必要なしに、替えることが可能であるべきであると考えられる。更に、看板構造部は、異なる幅の可撓フェース材料を、適切に伸ばすため、例えば平面形態から突出形態へ変えられる看板のフェース材料を留める引っ張り手段を有する必要がある。
【００１１】
従来技術の看板構造部は、上記の好ましい要求に対し少なくとも一つが不充分である。そのため、基本的に可撓フェース看板に三次元的な効果を看板構造に付加することができるように新しく改善して、様々な寸法、形状で容易に製作され且つ、簡単に変化する型式に適するように変形可能にすることが、その様な看板構造部を必要とするマーケットの発展の助けになる。
【００１２】
【発明が解決しようとする課題】
本発明の看板システムは、看板の可撓フェース材料を突出させるための新しい概念と、それにより明らかに看板産業で重要な視覚に対して革新的となる様々な建築的構造のレリーフを形成することを提供する。
【００１３】
【課題を解決するための手段】
概して、本発明の一つの特徴によると、看板の開口部を画定する複数の側方フレーム部材と、側方フレーム部材に係留され、看板開口部にわたって伸ばされた可撓フェース材料とから成る。可撓フェース材料は、ディスプレイ側と後側を有する。また間隔をあけて配置した可撓で弾力があり、個々に側方フレーム部材の一つに取り付けられた固定端部を有する複数の支柱部材と、可撓フェース材料の後側に向かって延びる自由端部がある。各支柱部材の自由端部は応力を受けた状態で、看板の開口部の平面から可撓フェース材料を弾力的に突出させるため、可撓フェース材料に対して作用する。
【００１４】
【本発明の実施の形態】
本発明の構造の主な利点は、装飾した建築的構造のレリーフを、看板の視覚的な特性を改善するため、可撓フェース材料で形成することが可能であり、可撓フェース材料が、色々な状況下で看板をより良く見せるため、伸張した状態に維持することができることである。
【００１５】
本発明の別の点によると、看板の開口部を画定し、各々がそこに看板の開口部から外向きに配置したスロットを有し、複数の側方フレーム部材から成る可撓フェース看板を備える。間隔をあけて配置した複数のＣ形フレーム部材は、側方フレーム部材に接続されて、側方フレーム部材を看板の開口部に沿って互いに固定された関係に維持する。可撓フェース材料は、側方フレーム部材に取り外し可能に係留され、看板の開口部にわたって伸張される。可撓フェース材料は、ディスプレイ側と後側とがある。また可撓フェース看板は、各々が側方フレーム部材の一つのスロットに取り外し可能に取付られた固定端部と、看板の開口部の平面から可撓フェース材料を弾力で突出させるため、固定された状態で可撓フェース材料の後側に向かって延びる自由端部とを有する可撓で弾力があり、間隔をあけて配置した複数の支柱部材を有する。
【００１６】
側方フレーム部材は、側方フレーム部材に取り外し可能に係留されていることで、特に例えば、従来の可撓フェース看板に関する通常の方法において、メンテナンスのため看板外枠を開けるのに有利である。
【００１７】
更に、可撓支柱部材と可撓フェース部材が、側方フレーム部材に取り外し可能に装着されていることで、特に望ましいことに、看板のオーナーが最低支出で看板の外観を周期的に新しくできる。
【００１８】
また本発明の別の特徴によると、ベースを有する可撓フェース看板と、ベースに接続され且つ看板の対向側部を画定する複数の側方フレーム部材とを備える。各側方フレーム部材はその中に第一及び第二の間隔をあけて配置したスロットを有し、各スロットがベースから外向きに配置している。また可撓フェース看板は、間隔をあけて配置し、可撓で弾力のある複数の支柱部材を有し、各支柱部材は、第一及び第二スロットに各々接続される第一及び第二の係留部材を有する。各支柱は、ベースから離れるように延びて広がる形材であり、看板の外形を部分的に画定する。可撓フェース材料は、側方フレーム部材に取り外し可能に係留されており、固定され且つ応力を掛けられた状態の各支柱部材によって、広がる形材を覆うように伸張される。
【００１９】
本発明の特徴の利点は、基本的に説明した広がる形材が、様々な従来のものとは異なる看板形材を形成するのに有利であり、可撓フェース材料は、看板がどの様状況下においてでも、それら看板形材を覆うように伸張した状態に、維持することができる。
【００２０】
更に本発明の別の特徴は、材料、装置及び労力に関して低コストで製造することができ且つ、産業界において低価格で得ることができ、その様な看板構造部を、一般が経済的に利用することができることである。
【００２１】
【実施例】
本発明の一実施例を添付図面に図示し、図中で幾つかの符号が部分を示している。
【００２２】
本発明は、多くの様々な形態の実施例が可能で、図面に示しめしたように、ここでは四つの特定の実施例を詳細に説明しているが、本記載は発明の主な一例であり、発明を図示された実施例に制限するものではない。
【００２３】
看板デザイナーと制作者は、通常いつも喜びを起こさせるように努力している。可撓フェース看板の外観のバリエーションは、今までディスプレイされるメッセージと背景の芸術的特徴と、看板の外形の独創性を制限していた。一般的に過去に、ディスプレイ表面のレリーフを変えたことなど少しの進歩はあった。好ましい看板システムの実施例は、看板の外観を改良し且つ可撓フェース材料で作業の利点を維持する方法と新しい構造を提供することである。
【００２４】
図面の図１〜図６を参照すると、突出ディスプレイ表面を有する可撓フェース看板の四つの変形例が、図示されている。図１〜図２は、特に本発明の好ましい第一実施例による可撓フェース看板を図示している。可撓フェース材料２０は、看板のフレームにより画定される開口部を横切るように可撓フェース材料２０の境目に付けられ且つ、看板の側方フレーム部材２６に沿ってスロット２４に組み込まれる複数の可撓ホルダ２２によって伸張される。
【００２５】
好ましい第一実施例による看板外枠は、正面看板であり、その装飾されていない部分は、外枠の頂部及び側部に限られる。看板のディスプレイ領域を囲む側方フレーム部材２６が、看板産業界において、フレームレス成形部材２６または組立不要な成形体に関連している。
【００２６】
特に図２及び図１１〜１６を参照すると、好ましい実施例による看板構造部は、モジュール形構成要素で製作することができる。ゆえに看板は容易に標準的なパーツで適所に造られるか、または注文寸法で予め造られた巻き上げ式の可撓看板フェースを、キットとして販売している。
【００２７】
側方フレーム部材２６、２８及び３０は、例えば好ましくは、様々な深さの外枠を作るため三つの異なった幅で製作される。側方フレーム部材２６、２８、３０は、Ｌ形フレーム部材３２と、看板外枠の骨格構造を形成するため中空管状部材３６を使用できる。各Ｌ形フレーム部材３２は、管状部材３６の内側に装着できる心棒３４を有し、好ましくは36〜48インチの間で間隔をあけて配置されており、看板外枠に沿って設けられたＣ形フレーム部材を作るため、管状部材３６を使用できる。看板のランプ３８と安定器４０は、好ましくはそれら管状部材３６に取り付けられる。
【００２８】
フレームレス成形部材２６、２８、３０の各々、上記で説明したように可撓ホルダ２２を受容し且つ保持する鋸歯状のスロット２４を有している。また、それらフレームレス成形部材に、第一スロット２４に隣接し且つ第一スロット２４と共通壁５２を共有する第二スロット５０を備える。第二スロット５０の横断面は四角形の空洞部分を画定しており、空洞部分が、看板外枠の中心部分から外向きに配置し、看板フェースの縁部５４を向いた長手側部を有している。
【００２９】
好ましい第一の実施例による看板における可撓フェース材料２０を突出させるには、多数の可撓で弾力のある第一型の支柱ストリップ６０を、可撓フェース材料２０とフレームレス成形部材２６との間に、看板外枠の長手に沿って装着することによって行われる。各支柱ストリップ６０が、看板フェース材料を突出させるために、後方側または可撓フェース材料の内側表面に対して作用する自由端部と、第二スロット５０に取り外し可能に装着されている固定端部とを有している。図２で図示された看板の場合、可撓フェース材料は、看板の上縁部に沿って突出する。
【００３０】
各支柱ストリップ６０は、透明または半透明の材料から成っている。また各支柱ストリップ６０は、好ましくはその厚さが約3/16インチと約1/4インチとの間で、好ましくは約2インチと約4インチとの間の幅を有する可撓で弾力のある材料から成る。また普通の長さの支柱ストリップが使用可能とはいえ、二つの並置されたストリップ６０の間の好ましい間隔は、12インチと24インチとの間である。
【００３１】
支柱ストリップを製作するのに使用可能な可撓で弾力があり、透明なシート材料の幾つかの型式は、看板産業において商標名LEXANＴＭとPLEXIGLASＴＭで知られているプラスティック材料である。
【００３２】
第一型の支柱ストリップ６０は、可撓看板フェース２０材料の円形上縁部を形作るためと、可撓フェース材料を傾けるため使用され、看板フェース状にディスプレイされる宣伝材料が、看板の下で比較的短い距離から簡単に読めるようにしている。
【００３３】
好ましい第一実施例の可撓看板フェースが突出ディスプレイ表面であることの別の利点は、看板の全体的な厚さを、従来の看板外枠と比べて、少なくしてもよいことであり、その際も看板のランプ３８と可撓フェース材料２０との間の理想的な間隔を保持することである。好ましい第一実施例の看板を突出表面は、非常に素晴らしい装飾的な特徴をコンパクトに設計できる。
【００３４】
また、好ましい第一実施例による看板の突出看板表面が、従来の平坦なディスプレイ表面と比べて、外観が改善され、この改善方法は、看板のフレームレス特性を保つのに利用することができる。
【００３５】
可撓フェース材料２０を突出た配置に設定している間、支柱ストリップを曲げてあるいは予め応力をかけて、図７の６０〜６０′で示された範囲だけ確実に下げられる。それによって、支柱ストリップ６０は、追加張力を可撓フェース材料２０にかけて、例えば可撓フェース材料を上方及び下方へ押し、鋸歯状スロット２４の可撓ホルダ２２により制限された調整範囲を補償する。可撓フェース材料は、それによって常に相応にピンと張られ、伸張した状態になる。
【００３６】
また支柱ストリップ６２、６４の第二及び第三型式は、図８及び図９に示されているように、前記方法により側部フレーム部材２６のスロット５０に装着可能である。各支柱ストリップ６０、６２及び６４は、スロット５０から延び出て、可撓フェース材料を形作るためと、可撓フェース材料２０を弾力により支持して、張力をかけるために使用することができる自由端部を有している。また可撓フェース材料の追加張力は、風を受ける状態、強烈な熱気の下あるいは単に老朽化した看板設置部において、可撓フェース材料に対して張力を維持するために望ましい。
【００３７】
図１５を参照して図２に図示された実施例には、管状部材３６の内側で組み合わさるような寸法と形の心棒部分７２を有するｈ形フレーム部材７０を備えている。ｈ形フレーム部材は、好ましくは各管状部材３６に装着される。図示したように、各ｈ形フレーム部材７０の脚部７６の一つが、幅が狭い側部フレーム部材３０を支持しするのに使用されている。透明レンズ７４は通常、この看板ではダウンライトの様な特徴を得るため、ｈ形フレーム部材７０の脚部の間に設けられている。
【００３８】
図３〜図９を参照すると、図面は突出された表面看板の構造的な詳細を示しており、前ディスプレイ表面が、一連の第三型の支柱ストリップ６４によって前方へ傾けられている。またここでは、可撓フェース材料２０が好ましく設置され、可撓フェース材料２０の下方へ追加張力を加え、前記の利点を得るため、支柱ストリップ６４を確実な範囲だけ下方へ曲げて予定の応力をかける。第三型の支柱ストリップ６４は、看板の前ディスプレイ表面を更に傾け、看板フェースの上方領域に沿って、折り目を形作るために使用される。
【００３９】
普通の長さの看板に延びる連続ストリップであれば、着色されたフィルム６６の層が、可撓フェース材料２０上で様々な陰影を移すためストリップ６４に付けてもよい。本願における望ましい粘着フィルム材料は、看板産業においてSCOTHCALＴＭの商標名で知られている。この製品は、世界的に有名な企業である３Ｍによって製造されている。
【００４０】
また好ましい実施例である看板を製作するモジュラー式構成要素は、図１４に図示された様にＹ形のフレーム部材から成る。またこの特別なフレーム部材は、例えば看板外枠の下側を組み立てるため、管状部材３６を利用して、管状部材３６の端部の内側に組み合わせる心棒８２を有する。図示された実施例では、Ｙ形フレーム部材８０の傾斜脚部８４が、その中に例えば透明または半透明材料のフラットバーあるいはストリップ８８を受容して保持するスロット８６を有している。ストリップ８８は、看板のディスプレイ表面の下縁部９０を形成するのに使用されており、可撓フェース材料２０は看板外枠の上方縁部に係留され、看板外枠の前方部分及び下方部分の周囲を包んでいる。
【００４１】
Ｙ型フレーム部材８０を使用することは、看板の前方部分と、図３に図示されているように、前方部分とほぼ直角に延びるダウンライト部分９２とを覆うように延びる突出ディスプレイ表面を造る利点がある。また有利には、フラットバー８８が看板のディスプレイ領域上で、隣接する非平行な表面の型を多数形作るために使用できる。
【００４２】
また、Ｙ形フレーム部材８０とｈ形フレーム部材７０とが、各々互いに間隔をあけて設置されているので、特に記載された看板のライト３８がオン状態になると、ダウンライト部分７４と下方ディスプレイ表面９２が、充分に照らされる。
【００４３】
支柱ストリップ６０、６２及び６４が、四角形の看板外枠の上縁部に沿って装着可能に図示されており、記載の装置は、看板外枠の上縁部及び下縁部の両方と、看板外枠の端部に利用される。また記載の装置は両面看板と曲外形看板に利用することが望ましであろう。
【００４４】
また上記の説明の範囲では、看板上のディスプレイ表面と建築構造的なレリーフが、簡単に可撓フェース材料と一連の支柱ストリップを簡単に取り換えることによって、看板の基の構造を変えることなく、全体的に新しくされ得る。本質的に材料と設置時間が、看板のオーナーにとって経済的であることは、望ましいことであろう。
【００４５】
図４〜図６を参照すると、Ｙ形フレーム部材８０は、看板ベース３０、３６、８０を建てるために使用でき、その上で異なった形の様々な看板が造られる。その様なベース上に製造可能な看板の形状の例として、図４及び図５に各々円筒形とプリズム状の形が各々図示されている。
【００４６】
各Ｙ形フレーム部材８０は、二つの取り付け部を有するトラス状の支持部材１００または１０２に使用できる。トラス状の支柱部材１００及び１０２は、装着構造体３６から本質的に間隔をあけて装着された可撓フェースを支持するため、上から吊した状態に設けて使用できる。各トラス状の支柱部材１００、１０２は、広がった形状をしており、外側セグメントが、看板外形部分を画定している。互いに向かい合った看板の内側セグメントと共に、対になって装着されると、それら外側セグメントが、図４及び図５に図示されたように、全体的な看板外形を画定する。
【００４７】
各支柱部材１００、１０２は、可撓で透明あるいは半透明のプラスティック材料から成っており、固定端部と、自由端部と、フランジ部材１０４と、フランジ部材１０４を強固にするため、フランジ部材に固定されたウエブ部材１０６とで構成されている。固定端部は、Ｙ形フレーム部材８０の溝８６と側方フレーム部材３０の溝５０に接続可能な二つの係留部分１０８、１１０を有している。
【００４８】
各支柱部材１００、１０２は、可撓で透明あるいは半透明のプラスティック材料から成っており、固定端部と、自由端部と、フランジ部材１０４と、フランジ部材１０４を強固にするため、フランジ部材に固定されたウエブ部材１０６とで構成されている。固定端部は、Ｙ形フレーム部材８０のスロット８６と側方フレーム部材３０のスロット５０に接続可能な二つの係留部分１０８、１１０を有している。
【００４９】
係留部分１０８、１１０は、長さが充分あって、可撓で弾力があり、張力を受けて可撓フェース材料２０を保持するため、前記支柱ストリップ６０、６２、６４を記載したように、最初に変形できるようになっていることは明らかである。
【００５０】
好ましくは使用時に、係留部分１０８、１１０を側方フレーム部材３０とＹ形フレーム部材８０に、ネジ（図示せず）で固定される。そのネジは、側方フレーム部材３０のスロット５０と傾斜脚部８４のスロット８６を介する。
【００５１】
可撓支柱部材の三つの主要型式のみが、図示されている。従って説明は、網羅的ではなく、その技術におけるそれらの知識は、更に多くの形式の看板は、そこで情報を提供することが可能であり、その看板の型式は人の想像力によってのみ定められる。
【００５２】
別の特定の範囲内と、本発明の可撓フェース看板を使用及び製作する別の方法に関して、同様のものがあることは前記載から明らかであり、従ってそれらの点に関してこれ以上論ずることはしない。
【００５３】
本発明の四つの実施例は、添付図面に図示され、前記で説明されているが、様々な変形例と別の構造及びそれと同様なものが、従属請求項によって定義された本発明の真の意図と領域から逸脱することなく利用されることは、この技術分野に精通した者にとって、明らかであろう。
【図面の簡単な説明】
【図１】  本発明の好ましい実施例による突出ディスプレイ表面を有した看板の斜視図
【図２】  本発明の好ましい実施例であり、ディスプレイ表面が前方に傾けられて、ダウンライト部分を組み込んだ看板を図１において線２−２に沿って見た断面図
【図３】  突出して前方に傾けられた前部ディスプレイ表面と、前方且つ下方を向いた装飾部を有した好ましい第二実施例である看板の断面図。
【図４】  円筒形ディスプレイ面を有した好ましい第三実施例である看板の断面図
【図５】  プリズム状のディスプレイ表面を有した好ましい第四実施例である看板の断面図
【図６】  可撓フェース材料を支持するのに使用できる可撓で透明なトラス形の支柱部材を、図４における線６−６に沿って見た断面図
【図７】  第一型式の可撓支柱ストリップが取り付けられた好ましい第一及び第二実施例による看板外枠の側方フレーム部材の部分断面図
【図８】  第二型式の可撓支柱ストリップの断面図
【図９】  第三型式の可撓支柱ストリップの断面図
【図１０】  側方フレーム部材のスロットにおける可撓支柱ストリップの結合部の拡大図
【図１１】  好ましい実施例により看板を製作するため、側方フレーム部材として使用可能な幅の広い成形体の断面図
【図１２】  好ましい実施例による看板を製作するため、側方フレーム部材として使用可能な幅のやや広い成形体の断面図
【図１３】  好ましい実施例による看板を製作する側方フレーム部材として使用可能な幅の狭い突出部の断面図
【図１４】  本発明の好ましい第二、第三及び第四実施例による看板を製作するために使用可能なＹ形フレーム部材の逆側面図。
【図１５】  第一実施例による看板を製作するため使用可能なｈ形フレーム部材の側面図
【図１６】  本発明による好ましい第一及び第二実施例による看板を製作するために使用可能なＬ形フレーム部材の逆側面図
【符号の説明】
２０  可撓フェース材料
２２  ホルダ
２４  スロット
２６  側方フレーム部材
２８  側方フレーム部材
３０  側方フレーム部材／看板ベース
３２  Ｌ形フレーム
３４  心棒
３６  管状部材／看板ベース
３８  ランプ
４０  安定器
５０  スロット
５２  共通壁
５４  縁部
６０  支柱ストリップ
６２  支柱ストリップ
６４  支柱ストリップ
６６  フィルム
７０  ｈ形フレーム
７２  心棒
７４  ダウンライト部分
７６  脚部
８０  Ｙ形フレーム部材／看板ベース
８２  心棒
８４  傾斜脚部
８６  スロット
８８  ストリップ
９０  下縁部
９２  ダウンライト部分
１００支柱部材
１０２支柱部材
１０４フランジ部材
１０６ウエブ部材
１０８係留部分
１１０係留部分
１１２円筒状看板
１１４プリズム形看板
【図１】
0003955169.tif 000002
【図２】
0003955169.tif 000003
【図３】
0003955169.tif 000004
【図４】
0003955169.tif 000005
【図５】
0003955169.tif 000006
【図６】
0003955169.tif 000007
【図７】
0003955169.tif 000008
【図８】
0003955169.tif 000009
【図９】
0003955169.tif 000010
【図１０】
0003955169.tif 000011
【図１１】
0003955169.tif 000012
【図１２】
0003955169.tif 000013
【図１３】
0003955169.tif 000014
【図１４】
0003955169.tif 000015
【図１５】
0003955169.tif 000016
【図１６】
0003955169.tif 000017